(57)【要約】【課題】  水中での深度を容易に維持して釣果を向上することができるイカ釣り具を提供する。【解決手段】  釣糸の先端に取り付けられる基部１０と、基部１０の先端から放射状に拡がる可撓性の張出部材２０と、張出部材２０の先端に揺動自在に取り付けられた線材３０と、線材３０の先端に設けられた掛け針４０とを備えるイカ釣り具１であって、基部１０の先端に錘部材１００が取り付けられている。各張出部材２０は、水平面に対して斜め下方に向けて張り出した状態で、線材３０を垂下するように支持することが好ましく、錘部材１００は、各張出部材２０の先端を通る平面よりも重心位置が上方となるように配置されていることが好ましい。【選択図】  図１
0003167824.tif 000002
【実用新案登録請求の範囲】
【請求項１】
釣糸の先端に取り付けられる基部と、
前記基部の先端から放射状に拡がる可撓性の張出部材と、
前記張出部材の先端に揺動自在に取り付けられた線材と、
前記線材の先端に設けられた掛け針とを備えるイカ釣り具であって、
前記基部の先端に錘部材が取り付けられたイカ釣り具。
【請求項２】
前記各張出部材は、水平面に対して斜め下方に向けて張り出した状態で、前記線材を垂下するように支持しており、
前記錘部材は、前記各張出部材の先端を通る平面よりも重心位置が上方となるように配置されている請求項１に記載のイカ釣り具。
【請求項３】
前記錘部材は、先端側が鉤状に曲げられたフック部材と、前記フック部材に外嵌されたコイルばねとを備えており、
前記フック部材を前記基部の係合部に係合させて、先端を前記コイルばねの内部に挿入することにより、前記錘部材が前記基部に着脱可能とされた請求項１または２に記載のイカ釣り具。
【考案の詳細な説明】
【技術分野】
【０００１】
本考案は、アジ等の生き餌を用いてイカ釣りを行うためのイカ釣り具に関する。
【背景技術】
【０００２】
生き餌に乗ったイカに掛け針を掛けて釣り上げるイカ釣り具として、例えば特許文献１に開示された構成が知られている。特許文献１に開示されたイカ釣り具は、釣糸の先端に取り付けられる基部と、基部から放射状に拡がる可撓性の張出部材と、張出部材の先端に揺動自在に取り付けられた線材と、線材の先端に設けられた掛け針とを備えている。このイカ釣り具は、合わせを入れることにより、掛け針を大きく揺動させてイカに確実に食い込ませることができる。
【先行技術文献】
【特許文献】
【０００３】
【特許文献１】実用新案登録第３１６２４９５号公報
【考案の概要】
【考案が解決しようとする課題】
【０００４】
特許文献１に開示されたイカ釣り具は、生き餌の泳ぎによってイカの生息深度を外れるおそれがあるため、釣果を高める観点から更に改良の余地があった。
【０００５】
そこで、本考案は、水中での深度を容易に維持して釣果を向上することができるイカ釣り具の提供を目的とする。
【課題を解決するための手段】
【０００６】
本考案の前記目的は、釣糸の先端に取り付けられる基部と、前記基部の先端から放射状に拡がる可撓性の張出部材と、前記張出部材の先端に揺動自在に取り付けられた線材と、前記線材の先端に設けられた掛け針とを備えるイカ釣り具であって、前記基部の先端に錘部材が取り付けられたイカ釣り具により達成される。
【０００７】
このイカ釣り具において、前記各張出部材は、水平面に対して斜め下方に向けて張り出した状態で、前記線材を垂下するように支持していることが好ましく、前記錘部材は、前記各張出部材の先端を通る平面よりも重心位置が上方となるように配置されていることが好ましい。
【０００８】
また、前記錘部材は、先端側が鉤状に曲げられたフック部材と、前記フック部材に外嵌されたコイルばねとを備えていることが好ましく、前記フック部材を前記基部の係合部に係合させて、先端を前記コイルばねの内部に挿入することにより、前記錘部材が前記基部に着脱可能とされていることが好ましい。
【考案の効果】
【０００９】
本考案によれば、水中での深度を容易に維持して釣果を向上することができるイカ釣り具を提供することができる。
【図面の簡単な説明】
【００１０】
【図１】本考案の一実施形態に係るイカ釣り具の斜視図である。
【図２】図１に示すイカ釣り具の平面図である。
【図３】図１に示すイカ釣り具の要部側面図である。
【図４】図１に示すイカ釣り具の使用状態を示す側面図である。
【考案を実施するための形態】
【００１１】
以下、本考案の一実施形態について添付図面を参照しつつ説明する。図１は、本考案の一実施形態に係るイカ釣り具の斜視図であり、図２はその平面図である。
【００１２】
図１及び図２に示すように、イカ釣り具１は、基部１０と、基部１０から放射状に拡がる複数の張出部材２０と、各張出部材２０の先端に取り付けられた線材３０と、各線材３０の先端に設けられた掛け針４０と、基部１０の先端に取り付けられた錘部材１００とを備えている。
【００１３】
基部１０は、直棒状に形成され、一方端にリング状の取付部１２を有しており、他方端にはリング状の係合部１４が設けられている。取付部１２には、釣糸（道糸）５０の先端が取り付けられ、係合部１４には、後述する錘部材１００が取り付けられる。
【００１４】
張出部材２０は３本の金属ワイヤからなり、本実施形態では各金属ワイヤの端部を束ねて撚ることで上記の基部１０が形成され、基部１０の他方端の中心に係合部１４を保持しつつ、この他方端から各張出部材２０が直線状に張り出している。各張出部材２０は、図２に示すようにそれぞれの間が等角度となるように配置されている。張出部材２０は、後述する掛け針４０を支持した状態で直線形状を維持できる程度の剛性を有することが好ましく、基部１０を支点とした撓み変形が生じるように構成されている。張出部材２０は、本実施形態では線状に形成しているが、その形状は特に限定されるものではなく、例えば、板状に形成したり、或いは、張出方向に先細となるように形成してもよい。また、張出部材２０の材質は、金属製以外に樹脂製等であってもよい。各張出部材２０の張出方向先端には、リング部２２が固定されている。張出部材２０の個数は、本実施形態のように３本が好ましいが、特に限定されない。
【００１５】
線材３０は、金属ワイヤからなり、一方端に固定されたリング部３２を張出部材２０のリング部２２に繋げることにより、各張出部材２０の先端に搖動自在に支持されている。線材３０は、高剛性の金属材料から形成されていてもよく、或いは、ハリスなどの糸状のものであってもよい。線材３０が糸からなる場合、本実施形態のようにリング部２２，３２を使用しなくても、張出部材２０の先端に搖動自在に支持することができる。
【００１６】
基部１０、張出部材２０および線材３０の長さは、目標とするイカの大きさに応じて適宜設定すればよいが、一例を挙げると、それぞれ３ｃｍ、７．５ｃｍ、３ｃｍである。特に張出部材２０の長さは、イカの大きさに応じて最適化することが好ましく、張出部材２０の長さが異なるものを複数種類用意してもよい。
【００１７】
掛け針４０は、パイプ状の本体部から複数の針が放射状に拡がる公知の構成であり、本体部に挿通した線材３０の先端を抜け止め処理することにより、線材３０に回転自在に設けられている。掛け針４０は、図１に示すように、線材３０が張出部材２０の先端から垂下した状態で、針先４２が上方を向くように線材３０に支持されることが好ましい。各掛け針４０には、必要に応じて錘を設けてもよい。
【００１８】
錘部材１００は、錘本体１０２の端部にフック部材１０４が固定されており、フック部材１０４にはコイルばね１０６が若干の隙間をあけて外嵌されている。フック部材１０４は、先端側が鉤状に曲げられており、基部１０の係合部１４に着脱自在に装着される。錘部材１００の装着は、図３（ａ）に示すように、コイルばね１０６をフック部材１０４の基端側（錘本体１０２側）に移動させた状態で、フック部材１０４を係合部１４に係合させた後、図３（ｂ）に示すように、コイルばね１０６を潰すように変形させながら矢示方向に移動させて、フック部材１０４の先端をコイルばね１０６の内部（フック部材１０４とコイルばね１０６との隙間）に挿入することにより、コイルばね１０６の弾性力でフック部材１０４の先端を保持して行うことができる。錘部材１００は、錘本体１０２の重量が異なる複数種類を予め用意しておき、生き餌の種類や大きさ等に応じて適宜選択できるようにしてもよい。また、基部１０の係合部１４には、錘部材１００に代えて、或いは、錘部材１００と共に、まき餌用のカゴ等の仕掛けを取り付けてもよい。更に、錘部材１００を基部１０に着脱可能な上記の構成は、張出部材２０と線材３０との取り付けにも適用することが可能であり、掛け針４０の損傷等による交換が容易になると共に、掛け針４０の根掛かりが生じた場合にも、張出部材２０と線材３０との間で自動的に外れてイカ釣り具１を容易に引き上げることができる。
【００１９】
上記の構成を有するイカ釣り具１は、図１に示すように、基部１０の取付部１２に釣糸５０の先端を結びつけて使用する。釣糸５０の糸よれを防止するため、サルカン（図示せず）等を介して基部１０を釣糸５０に取り付けるようにしてもよい。また、イカ釣り具１の取付けと共に、釣糸５０の途中に可動部５２を介して鈎５４を取り付ける。可動部５２は、例えば、鈎５４を支持する糸のウキ止め結びによる結び目や金具等からなり、釣糸５０に沿って移動自在であることが好ましい。この後、鈎５４にアジ等の生き餌５６を取り付けて、イカ釣り具１を海中に投下する。本実施形態のイカ釣り具１は、基部１０の先端に錘部材１００が取り付けられているため、生き餌５６の過剰な動きを抑制することができ、イカの生息深度に合わせてイカ釣り具１の所望の水中深度を容易に維持することができる。
【００２０】
そして、図４に示すように、生き餌５６にイカ６０が乗ったタイミングで合わせを入れると、釣糸５０の急激な上昇に伴い可動部５２が釣糸５０に沿って下方（矢示方向）に移動し、イカ釣り具１がイカ６０に接近する。張出部材２０は、釣糸５０の初期上昇時に水の抵抗を受けて下方への撓み変形を生じるため、この撓み変形により蓄積されたばね力が減速時に解放されることにより、線材３０には大きな搖動力が発生する。こうして、複数の掛け針４０を勢いよく旋回させることができ、イカ６０を確実に捉えることができる。特に、本実施形態のイカ釣り具１は、張出部材２０および線材３０が、リング部２２，３２同士を繋ぐことにより連結されているため、リング部２２を支点とした掛け針４０の大きな旋回を促すことができ、掛け針４０をイカ６０に確実に食い込ませることができる。
【００２１】
図４に示すように、本実施形態の張出部材２０は、水平面に対して斜め下方に向けて張り出した状態で、線材３０を垂下するように支持しており、これによって、撓み変形によるばね力を線材３０に効率よく伝達して、掛け針４０をスムーズに旋回させることができる。張出部材２０の張出方向は、水平面に対する傾斜角度（図３のα）が約１５°となるように設定することが好ましいが、これに限定されるものではない。
【００２２】
錘本体１０２の形状は特に限定されないが、図４に示すように、錘部材１００の重心位置Ｇが、各張出部材２０の先端を通る平面Ｐよりも上方であることが好ましい。この構成によれば、掛け針４０の旋回時に錘部材１０と衝突するおそれが少なくなるだけでなく、張出部材２０の振動を抑制して、掛け針４０をよりスムーズに旋回させることができ、釣果の向上を図ることができる。
【符号の説明】
【００２３】
１  イカ釣り具
１０  基部
１４  係合部
２０  張出部材
２２  リング部
３０  線材
３２  リング部
４０  掛け針
１００  錘部材
１０２  錘本体
１０４  フック部材
１０６  コイルばね
【図１】
0003167824.tif 000003
【図２】
0003167824.tif 000004
【図３】
0003167824.tif 000005
【図４】
0003167824.tif 000006